(57)【特許請求の範囲】
【請求項１】
プリント基板と、前記プリント基板上に配設された複数の発振回路とを有し、前記プリント基板上には前記各発振回路からの発振信号を中継して混合器に出力する共通出力端子を設け、前記各発振回路の各出力端を前記共通出力端子を中心とした同一の円周上に配置し、隣り合う前記各出力端同士の間隔を互いに等しくすると共に、前記各出力端に囲まれた領域内に前記各出力端と前記共通出力端子とをそれぞれ接続するスイッチダイオードを設けたことを特徴とする発振器。
【発明の詳細な説明】
【０００１】
【発明の属する技術分野】
本発明は、発振器に関し、特にＣＡＴＶ（ケーブルテレビジョン）システムのテレビジョン信号送信器に用いて好適な発振器に関する。
【０００２】
【従来の技術】
ＣＡＴＶシステムのヘッドエンド、即ち、送信側においては、一般の地上波テレビジョン信号を再送信したり、映画、スポーツ等の娯楽番組や地域社会に密着した独自番組等を送信しているが、これらの番組をＣＡＴＶシステムに割り当てられたチャンネルに乗せてケーブルで送信するために送信器が使用される。
【０００３】
まず、図３は、従来のテレビジョン信号送信器の一部をブロック図で示したもので、第一の混合器２１と、第一の発振器２２と、第二の混合器２３と、第二の発振器２４とを有している。ここで、第一の混合器２１には、第一の発振器２２から出力された局部発振信号が入力され、第二の混合器２３には、第二の発振器２４から出力された局部発振信号が入力される。
【０００４】
第一の混合器２１には、ビデオ信号によって変調された特定周波数（例えば、４５．７５ＭＨｚ）のテレビ信号が入力される。そして、第一の混合器２１で周波数変換された後、第二の混合器２３に入力される。第二の混合器２３は、第一の混合器２１で周波数変換された放送信号をさらに周波数変換して出力増幅回路（図示せず）に出力するようになっている。
ここで、第一の発振器２２は、およそ１２５４ＭＨｚで発振し、第一の混合器２１からは、およそ１３００ＭＨｚのテレビ信号が出力される。そして、第二の発振器２４からの局部発振信号と混合されることによって、第二の混合器２３からは、５０〜１０００ＭＨｚの周波数の中の、特定のチャンネルの周波数のテレビ信号が出力される。このため、第二の混合器２３の局部発振信号は、およそ１３４８〜２３０５ＭＨｚまでを出力することが要求される。
しかし、第二の発振器２４を１つの発振回路によって安定して広帯域に発振するのが難しいので、第二の発振器２４に複数、例えば４つの発振回路を設けて、各発振回路を使い分けることで、局部発振信号を出力するようにしている。
【０００５】
次に、従来の第二の発振器の構成を図４に従って説明する。図４において、第二の発振器２４は、４つの発振回路２５、２６、２７、２８と、共通出力端子２９とを有しており、これらがプリント基板３０上に配置されている。そして、発振回路２５、２６、２７、２８は、それぞれが異なる周波数帯の局部発振信号を出力するようになっている。
ここで、例えば、第一の発振回路２５が１３４８ＭＨｚから１５８５ＭＨｚ、第二の発振回路２６が１５８０ＭＨｚから１８５５ＭＨｚ、第三の発振回路２７が１８５０ＭＨｚから２１２５ＭＨｚ、第四の発振回路２８が２１２０ＭＨｚから２３０５ＭＨｚの範囲の周波数で局部発振信号を出力するようになっている。
【０００６】
また、各発振回路２５、２６、２７、２８は、それぞれが発振信号出力端２５ａ、２６ａ、２７ａ、２８ａを有している。ここで、各発振回路２５、２６、２７、２８は、一列に並ぶようにプリント基板３０上に設けられている。そして、第一の発振回路２５の発振信号出力端２５ａはスイッチダイオード３１を、第二の発振回路２６の発振信号出力端２６ａはスイッチダイオード３２を、第三の発振回路２７の発振信号出力端２７ａはスイッチダイオード３３を、第四の発振回路２８の発振信号出力端２８ａはスイッチダイオード３４をそれぞれ介して、共通出力端子２９に接続されており、各発振回路から出力された発振信号は、共通出力端子２９を介して接続された緩衝増幅器（図示せず）によって増幅され、第二の混合器２３に入力されるようになっている。
ここで、各スイッチダイオードによって接続される各発振信号出力端２５ａ、２６ａ、２７ａ、２８ａと共通出力端子２９との間の線路長は、すべて等しくなるようになっている。
【０００７】
そして、例えば、第一の混合器２１から出力された、およそ１３００ＭＨｚのテレビ信号が、第二の混合器２３に入力されると、第一の発振回路２５を動作させるために電源電圧入力端（図示せず）から第一の発振回路２５に電圧が供給され、これと連動して、スイッチダイオード３１を導通させる。そして、第一の発振回路２５から局部発振信号が共通出力端子２９を介して緩衝増幅器に出力され、ここで増幅されて第二の混合器２３に出力されるようになっている。以下、第二の発振回路２６、第三の発振回路２７、第四の発振回路２８を動作させる場合においても、同様である。
【０００８】
【発明が解決しようとする課題】
ところで、例えば、図４に示すように、複数の発振回路を一列に配列してプリント基板３０上に配置した場合においては、各発振回路２５、２６、２７、２８の発振信号出力端２５ａ、２６ａ、２７ａ、２８ａから共通出力端子２９までの間の線路長が等しくなるようにしているため、各線路長は、発振信号出力端２５ａ、２６ａ、２７ａ、２８ａと共通出力端子２９との間の距離が最も長い場合における線路長によって決定され、そのため、損失が大きくなっていた。
そこで、この問題を解決する手段として、図５に示すように、例えば、各発振信号出力端２５ａ、２６ａ、２７ａ、２８ａと共通出力端子２９とを最短距離、つまり一直線に結ぶように接続すると、各発振器２５、２６、２７、２８から共通出力端子２９までの間の損失は軽減されるが、各発振信号出力端２５ａ、２６ａ、２７ａ、２８ａと共通出力端子２９との線路長が異なってしまい、従って損失も異なるので、出力される発振信号のレベルが異なってしまう。この結果、第二の混合器２３から出力されるテレビジョン信号のレベルも、使用する発振回路によって異なることになる。
【０００９】
本発明は、この問題を解決するためのもので、その目的は、共通出力端子における各発振回路の局部発振信号のレベルが等しくなるようにすることにある。
【００１０】
【課題を解決するための手段】
上記の問題の解決のために、本発明の発振器は、プリント基板と、前記プリント基板上に配設された複数の発振回路とを有し、前記プリント基板上には前記各発振回路からの発振信号を中継して混合器に出力する共通出力端子を設け、前記各発振回路の各出力端を前記共通出力端子を中心とした同一の円周上に配置し、隣り合う前記各出力端同士の間隔を互いに等しくすると共に、前記各出力端に囲まれた領域内に前記各出力端と前記共通出力端子とをそれぞれ接続するスイッチダイオードを設けた。
【００１２】
【発明の実施の形態】
本発明のＣＡＴＶシステムのテレビジョン信号送信回路に用いられる発振器を図１、図２に従って説明する。
まず、図１は、本発明の発振器を用いたテレビジョン信号送信機の一部をブロック図で示したもので、図３に示す従来のブロック図と同一の構成を有し、第一の混合器１と、第一の発振器２と、第二の混合器３と、本発明の発振器である第二の発振器４とを備えている。ここで、第一の混合器１は、第一の発振器２から出力された局部発振信号が入力され、第二の混合器３には、第二の発振器４から出力された局部発振信号が入力される。
【００１３】
そして、第一の混合器１には、ビデオ信号によって変調され、第一の発振器２からの、およそ１２５４ＭＨｚの発振信号によって、およそ１３００ＭＨｚのテレビ信号が周波数変換される。そして、さらに第二の発振器４からの局部発振信号と混合されることによって、第二の混合器からは５０〜１０００ＭＨｚの周波数の、いずれかの特定チャンネルのテレビ信号に周波数に変換されて出力される。このため、第二の混合器３の局部発振信号は、およそ１３４８〜２３０５ＭＨｚまでを出力することが要求される。
しかし、第二の発振器４を１つの発振回路によって安定して広帯域に発振するのが難しいので、第二の発振器４に複数、例えば４つの発振回路を設けて、各発振回路を使い分けることで、局部発振信号を出力するようになっている。
【００１４】
次に、本発明の発振器である第二の発振器を図２に従って説明する。図２において、第二の発振器４は、４つの発振回路５、６、７、８と共通出力端子９とを有しており、これらがプリント基板１０上に配置されている。そして、各発振回路５、６、７、８は、それぞれが異なる周波数帯の局部発振信号を出力するようになっており、例えば、第一の発振回路５が１３４８ＭＨｚから１５８５ＭＨｚ、第二の発振回路６が１５８０ＭＨｚから１８５５ＭＨｚ、第三の発振回路７が１８５０ＭＨｚから２１２５ＭＨｚ、第四の発振回路８が２１２０ＭＨｚから２３０５ＭＨｚの範囲の周波数で発振信号を出力するようになっている。
【００１５】
また、各発振回路５、６、７、８は、それぞれが発振信号出力端５ａ、６ａ、７ａ、８ａを有している。ここで、各発振回路５、６、７、８は、その発振信号出力端５ａ、６ａ、７ａ、８ａは共通出力端子９から等距離である同一の円周上に並ぶように配置されている。そして、発振信号出力端５ａはスイッチダイオード１１を、発振信号出力端６ａはスイッチダイオード１２を、発振信号出力端７ａはスイッチダイオード１３を、発振信号出力端８ａはスイッチダイオード１４を介して、ほぼ直線的に共通出力端子９に接続されている。
従って、各発振回路５、６、７、８の各発振信号出力端５ａ、６ａ、７ａ、８ａと共通出力端子９とを接続する線路長が同じになり、しかも最短となるので、各発振回路５、６、７、８と共通出力端子９との間の線路での損失は、いずれの発振回路５、６、７、８から局部発振信号が出力された場合においても、同じになり、かつ最小となる。
そして、各発振回路５、６、７、８から出力された発振信号は、共通出力端子９を介して接続された緩衝増幅器（図示せず）によって増幅され、第二の混合器３に出力されるようになっている。
【００１６】
また、各発振信号出力端５ａ、６ａ、７ａ、８ａ相互間は、等距離で隣り合うように配置されている。即ち、発振信号出力端５ａと６ａ、６ａと７ａ、７ａと８ａ及び５ａと８ａとの間隔が等距離に配置される。従って、発振信号出力端５ａ、６ａ、７ａ、８ａに囲まれた領域１０ａが正方形となる。
このように、領域１０ａの頂点に、各発振信号出力端５ａ、６ａ、７ａ、８ａを配置することによって、各発振回路５、６、７、８を領域１０ａの周りに均等に配置することが出来るので、プリント基板１０のスペースファクターが向上して、小型化が可能となる。
【００１７】
【発明の効果】
以上のように、本発明の発振器は、プリント基板と、前記プリント基板上に配設された複数の発振回路とを有し、前記プリント基板上には前記各発振回路からの発振信号を中継して混合器に出力する共通出力端子を設け、前記各発振回路の各出力端を前記共通出力端子を中心とした同一の円周上に配置し、隣り合う前記各出力端同士の間隔を互いに等しくすると共に、前記各出力端に囲まれた領域内に前記各出力端と前記共通出力端子とをそれぞれ接続するスイッチダイオードを設けたことで、各発振回路と共通出力端子との間の距離が同じとなって、共通出力端子から出力される発振信号のレベルを同じにでき、しかも、各出力端に囲まれた領域にスイッチダイオードを配置するのでその領域の回りに発振器を均等に配置することが可能となり、プリント基板のスペースファクターが向上して、小型化が可能となる。
【図面の簡単な説明】
【図１】本発明の発振器の回路図である。
【図２】本発明の発振器を用いたテレビジョン信号送信機の一部のブロック図である。
【図３】従来の発振器の回路図である。
【図４】従来の発振器を用いたテレビジョン信号送信機の一部のブロック図である。
【図５】従来の発振器の他の実施例の回路図である。
【符号の説明】
１  第一の混合器
２  第一の発振器
３  第二の混合器
４  第二の発振器
５，６，７，８  第二の発振回路
５ａ，６ａ，７ａ，８ａ  発振信号出力端
９  共通出力端子
１０  プリント基板
１０ａ  領域
１１，１２，１３，１４  スイッチダイオード
【図１】
0003868629.tif 000002
【図２】
0003868629.tif 000003
【図３】
0003868629.tif 000004
【図４】
0003868629.tif 000005
【図５】
0003868629.tif 000006